(57)【要約】【課題】  ＩＣカードリーダの不具合を早期に予報する【解決手段】  カードにはＩＣチップと磁気媒体とにより情報が記録されている。ＩＣカードリーダは、カードが挿入されたときにＩＣチップが検出されたか否かを示す情報と、そのカードの磁気媒体から読み取られた磁気情報とを対応づけた履歴リストを記憶する。その履歴リストにおいて、ＩＣチップが検出されなかった部分に着目する。ＩＣチップが検出されなかったのは、ＩＣチップとＩＣカードリーダのどちらかに不具合があったためと考えられる。磁気情報はカード毎に異なるため、磁気情報を参照することにより、同一のカードが何回挿入されたか、何枚の異なるカードが挿入されたかに関する情報が得られる。履歴リストのＩＣチップが検出されなかった部分において、少数のカードが何度も挿入されていた場合には、カード側に不具合があったと判定される。多数のカードに対してＩＣチップが検出されなかった場合は、ＩＣカードリーダ側に不具合があったと判定される。【選択図】図１
2006228050.tif 000002
【特許請求の範囲】
【請求項１】
ＩＣチップと磁気的な媒体とにより情報を記憶するカードから前記ＩＣチップに格納されたＩＣ情報を読み取るＩＣカード読取装置と、
前記磁気的な媒体に格納された磁気情報を読み取る磁気カード読取装置と、
ＩＣカード読取装置がＩＣチップの存在を検出したか否かを示すＩＣチップ認識情報と前記磁気情報とを対応づけた履歴リストを作成する作成部と、
前記履歴リストを出力する出力部
とを具備する
ＩＣカードリーダ。
【請求項２】
請求項１に記載されたＩＣカードリーダであって、
更に、所定期間の前記履歴リストのうち前記ＩＣチップ認識情報にＩＣチップが検出されなかったことが示された部分に対応する前記磁気情報のうちで、相互に異なる磁気情報の種類数をカウントする予報部
を具備する
ＩＣカードリーダ。
【請求項３】
請求項２に記載されたＩＣカードリーダであって、
前記予報部は、前記所定期間の前記履歴リストに記憶された前記磁気情報のうちで、相互に異なる磁気情報の数を総種類数としてカウントし、前記総種類数に対する前記種類数の割合を算出する
ＩＣカードリーダ。
【請求項４】
カードが備える磁気的な媒体から磁気情報を読み取るステップと、
前記カードにおけるＩＣチップが検出されたか否かを示すＩＣチップ認識情報を作成するステップと、
前記磁気情報と前記ＩＣチップ認識情報とを対応づけた履歴リストを作成するステップ
とを具備する
ＩＣカードリーダ検査方法。
【請求項５】
請求項４に記載されたＩＣカードリーダ検査方法であって、
更に、所定期間の前記履歴リストのうち前記ＩＣチップ認証情報に前記ＩＣチップが検出されなかったことが示された部分に対応する前記磁気情報のうちで、相互に異なる前記磁気情報の種類数をカウントするステップと、
前記種類数が所定の数よりも小さいとき、前記ＩＣチップが検出されなかった原因が前記カードにあると推定するステップ
とを具備する
ＩＣカードリーダ検査方法。
【請求項６】
請求項４または５に記載されたＩＣカードリーダ検査方法であって、
更に、前記種類数が基準値よりも大きいとき、前記ＩＣチップが検出されなかった原因が前記ＩＣカードリーダにあると推定するステップ
を具備する
ＩＣカードリーダ検査装置。
【請求項７】
請求項４または５に記載されたＩＣカードリーダ検査方法であって、
前記所定期間の前記履歴リストに格納されている前記磁気情報のうちで、相互に異なる前記磁気情報の数を総種類数としてカウントするステップと、
前記総種類数に対する前記種類数の割合を算出するステップと、
前記割合が所定の基準割合よりも大きいとき、前記ＩＣチップが検出されなかった原因が前記ＩＣカードリーダにあると推定するステップ
とを具備する
ＩＣカードリーダ検査装置。
【発明の詳細な説明】
【技術分野】
【０００１】
本発明は、ＩＣカードリーダに関する。本発明は特に、ＩＣカードリーダの不具合を調べる方法に関する。
【背景技術】
【０００２】
特許文献１には、自動販売機の稼動状態の解析を行うために、各機能部品の稼動履歴データを計測し保存するようにした自動販売機制御装置において、計測された稼動履歴データを一時記憶する一時記憶手段と、前記一時記憶手段に記憶されている稼動履歴データを保存する不揮発性記憶手段と、前記一時記憶手段の稼動履歴データを所定の時間間隔で前記不揮発性記憶手段に転送して書き込むとともに、前記稼動履歴データのうち発生する頻度が低く、かつ前記自動販売機の稼動状態の解析にとって重要なデータについては、その計測時点毎に前記不揮発性記憶手段に書き込むデータ転送制御手段と、を備えることを特徴とする自動販売機制御装置が開示されている。
【特許文献１】特開２００４‐３１８４７２号公報
【発明の開示】
【発明が解決しようとする課題】
【０００３】
ＩＣカードリーダがＩＣカード上のＩＣチップを認識できない場合がある。そうした場合に、ＩＣカードとＩＣカードリーダのいずれかが不具合であると考えられる。対策を講じるためには、どちらが不具合であるかを知ることが求められる。
【０００４】
本発明の目的は、ＩＣカードリーダの不具合を調べる装置及び方法を提供することである。
本発明の他の目的は、ＩＣカードリーダがＩＣチップを認識できない場合に原因がＩＣカードリーダとＩＣチップのどちらにあるかを推定する装置及び方法を提供することである。
本発明の更に他の目的は、ＩＣカードリーダの不具合を早期に予報する装置及び方法を提供することである。
【課題を解決するための手段】
【０００５】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００６】
本発明によるＩＣカードリーダ（２）は、ＩＣチップと磁気的な媒体とにより情報を記憶するカードからＩＣチップに格納されたＩＣ情報を読み取るＩＣカード読取装置（１４）と、磁気的な媒体に格納された磁気情報（５３）を読み取る磁気カード読取装置（２４）と、ＩＣカード読取装置（１４）がＩＣチップの存在を検出したか否かを示すＩＣチップ認識情報（５２）と磁気情報（５３）とを対応づけた履歴リスト（５０）を作成する作成部（３０）と、履歴リスト（５０）を出力する出力部（３４）とを備える。
【０００７】
本発明によるＩＣカードリーダ（２）は、所定期間の履歴リスト（５０）のうちＩＣチップ認識情報（５２）にＩＣチップが検出されなかったことが示される部分に対応する磁気情報（５３）のうちで、相互に異なる磁気情報（５３）の種類数をカウントする予報部（３２）を備える。
【０００８】
本発明によるＩＣカードリーダ（２）において、予報部（３２）は、所定期間の履歴リスト（５０）に記憶された磁気情報（５３）のうちで、相互に異なる磁気情報（５３）の数を総種類数としてカウントし、総種類数に対する種類数の割合を算出する。
【０００９】
本発明によるＩＣカードリーダ検査方法は、カードが備える磁気的な媒体から磁気情報（５３）を読み取るステップ（Ｓ４）と、カードにおけるＩＣチップが検出されたか否かを示すＩＣチップ認識情報（５２）を作成するステップ（Ｓ６）と、磁気情報（５３）とＩＣチップ認識情報（５２）とを対応づけた履歴リスト（５０）を作成するステップ（Ｓ１０）とを備える。
【００１０】
本発明によるＩＣカードリーダ検査方法は、所定期間の履歴リスト（５０）のうちＩＣチップ認識情報（５２）にＩＣチップが検出されなかったことが示された部分に対応する磁気情報（５３）のうちで、相互に異なる磁気情報（５３）の種類数をカウントするステップ（Ｓ１４‐１）と、種類数が所定の数よりも小さいとき、ＩＣチップが検出されなかった原因がカードにあると推定するステップ（Ｓ１４‐２）とを備える。
【００１１】
本発明によるＩＣカードリーダ検査方法は、種類数が基準値よりも大きいとき、ＩＣチップが検出されなかった原因がＩＣカードリーダ（２）にあると推定するステップ（Ｓ１４‐３）を備える。
【００１２】
本発明によるＩＣカードリーダ検査装置は、所定期間の履歴リスト（５０）に格納されている磁気情報（５３）のうちで、相互に異なる磁気情報（５３）の数を総種類数としてカウントするステップ（Ｓ１４‐４）と、総種類数に対する種類数の割合を算出するステップ（Ｓ１４‐５）と、割合が所定の基準割合よりも大きいとき、ＩＣチップが検出されなかった原因がＩＣカードリーダ（２）にあると推定するステップ（Ｓ１４‐６）とを備える。
【発明の効果】
【００１３】
本発明によれば、ＩＣカードリーダの不具合を調べる装置及び方法が提供される。
更に本発明によれば、ＩＣカードリーダがＩＣチップを認識できない場合に原因がＩＣカードリーダとＩＣチップのどちらにあるかを推定する装置及び方法が提供される。
更に本発明によれば、ＩＣカードリーダの不具合を早期に予報する装置及び方法が提供される。
【発明を実施するための最良の形態】
【００１４】
以下、図面を参照しながら本発明によるＩＣカードリーダ及びＩＣカードリーダ検査方法について詳細に説明する。
【００１５】
図４に、本実施の形態に係わる料金収受システム１００の概略構成図を示す。本実施の形態の料金収受システム１００は、料金所１１０と、料金事務所１２０と、料金所１１０に面して敷設される車両の進入路に備えられる信号灯１３０、車両台数計測機１４０および踏み板１５０を備えている。料金所１１０は、料金収受装置１１１、領収書発行機１１２、前払いカード処理機１１３を備えている。料金事務所１２０は、データ入力装置１２１、料金所集計処理装置１２２、無停電電源装置１２３、前払いカード再発行機１２４を備えている。
【００１６】
次に、料金収受システム１００の動作原理について説明する。料金収受システム１００の料金所１１０に面して敷設される車両進入路に車両が進入してくると、車両の進入路に備えられる信号灯１３０により、当該車両の前方の車両の有無に基づいて車両の進入可否が制御される。そして、信号灯１３０により当該車両へ、料金所への進入が許可されると、料金所１１０において、収受員の操作入力による当該車両に対する料金収受作業が行われる。この際、料金所１１０内に設置されている料金収受装置１１１、領収書発行機１１２、前払いカード処理機１１３によるデータ処理が行われ、このデータは料金事務所１２０内に設置された料金所集計処理装置１２２へと送信される。そして、料金所集計処理装置１２２においては、受信した当該データに基づいて通行料の集計処理をすると共に、図示せぬ車種判別装置と車両台数計測機１４０、および踏み板１５０により自動判別された車種および台数に基づく収受演算、あるいは図示せぬＥＴＣ読み取り装置から送信されてくる料金収受データに基づく収受演算が行われる。
【００１７】
本実施の形態におけるＩＣカードリーダは、こうした料金収受システム１００における料金収受装置１１１に使用される。または、利用者がカードを挿入すると自動的に料金収受業務を行ってカードを返却する図示せぬ自動料金収受機に使用される。
【００１８】
図１には、ＩＣカードリーダの構成が示されている。ＩＣカードリーダ２は、表示装置３４と入力装置３６とを備える。ＩＣカードリーダ２の内部には、クレジットカードサイズのカードが挿入されるスロット２０が設けられている。スロット２０の一端はＩＣカードリーダ２の筐体の一側面に開けられたカード挿入口４に開口している。
【００１９】
ＩＣカードリーダ２は、カード挿入口４からカードが挿入されたことを検出する検出装置２３を備える。ＩＣカードリーダ２は更に、検出装置２３がカードの挿入を検出したときに、モータ駆動するローラなどによってそのカードをスロット２０の内部の所定の位置まで搬送する搬送装置２２を備える。
【００２０】
ＩＣカードリーダ２は、スロット２０の内部を搬送される磁気カードから磁気的に記録された情報を読み取る磁気カード読取装置２４を備える。ＩＣカードリーダ２は更に、スロット２０の所定の位置に配置されたＩＣカードのＩＣチップから情報を読み取るＩＣコンタクト１４を備える。ＩＣコンタクト１４は、ＩＣチップの検出を行う検出部２６に接続される。磁気カード読取装置２４と検出部２６とは作成部３０に接続される。作成部３０は、予報部３２に接続される。
【００２１】
図２は、作成部３０によって作成される履歴リストの構成を示す。履歴リスト５０は、日時５１、ＩＣチップ検出情報５２及び磁気情報５３を対応づけて格納している。日時５１はＩＣカードリーダ２にカードが挿入されたときにＩＣカードリーダ２に内蔵されたカレンダー及び時計によって示されている日時を示す。ＩＣチップ検出情報５２は、挿入されたカードにＩＣチップが存在することを検出部２６が検出したか否かを示す。磁気情報５３は、磁気カード読取装置２４がカードから読み取った磁気情報を示す。
【００２２】
図３は、本実施の形態におけるＩＣカードリーダ２の動作を示すフローチャートである。
【００２３】
ステップＳ２：カード挿入口４からＩＣカードが挿入される。検出装置２３がＩＣカードを検出すると、搬送装置２２はＩＣカードをスロット２０の奥へ搬送する。
【００２４】
ステップＳ４：磁気カード読取装置は、搬送装置２２によって移動しているＩＣカードの磁気ストライプから磁気情報を読み取り、記憶する。
【００２５】
ステップＳ６：ＩＣカードはスロット２０の奥の所定の読み取り位置まで到達して停止する。ＩＣコンタクト１４は、ＩＣカード上のＩＣチップの端子の位置に接触する。検出部２６はＩＣコンタクト１４を用いて、ＩＣチップの有無を検出する。この検出は、ＩＣカードの通常の読み取り開始時の動作（コールドスタートシーケンス）により行われる。
【００２６】
ステップＳ８：ステップＳ６において検出部２６がＩＣチップを正常に認識すると、ＩＣカードリーダ２はＩＣチップに記憶されている情報を読み取り、記憶する。
【００２７】
ステップＳ１０：ステップＳ６において検出部２６がＩＣチップを認識できなかった場合、作成部３０は既にその時点までの履歴が記憶されている履歴リスト５０を更新する。履歴リスト５０の日時５１には、ＩＣカードが挿入された日時が登録される。ＩＣチップ検出情報５２には非検出（ＩＣチップが認識されなかったことを示す情報）が登録される。磁気情報５３には、磁気カード読取装置２４が読み取った情報が登録される。
ステップＳ８においてＩＣカードリーダ２がＩＣチップの情報を読み取ったとき、作成部３０は履歴リスト５０を更新する。履歴リスト５０の日時５１には、ＩＣカードが挿入された日時が登録される。ＩＣチップ検出情報５２には検出（ＩＣチップが認識されたことを示す情報）が登録される。磁気情報５３には、磁気カード読取装置２４が読み取った情報が登録される。
磁気情報５３は、カードから磁気的に読み取られた情報のすべてまたは一部である。一部である場合、個々のカードに特有の識別子などカードごとに違う情報が磁気情報５３として登録されることが好ましい。
【００２８】
ステップＳ１２：搬送装置２２はＩＣカードをカード挿入口４から排出する。
【００２９】
ステップＳ１４：予報部３２は、予め設定された故障予報条件に基づいて履歴リスト５０を参照し、ＩＣカードリーダ２の動作をチェックする。このチェックは、次の原理に基づいて行われる。
【００３０】
（１）ＩＣカードが認識されなかった場合、ＩＣカードをＩＣカードリーダ２に挿入した人が、同じＩＣカードをＩＣカードリーダ２に何度か挿入してリトライすることが考えられる。この場合、履歴リスト５０のＩＣチップ検出情報５２が「非検出」である欄に対応する磁気情報５３には、同一の磁気情報５３が記録される。ＩＣカードに不具合があった場合、こうした履歴が残ることがある。少ない種類のカードに対してのみ、すなわち例えば磁気情報５３が「ａａｂｂ」であるカードと「ａｂａｂ」であるカードの２種類のカードに対してのみ、ＩＣチップ検出情報５２が「非検出」である場合、ＩＣカードに不具合がある可能性が高いと判断できる。
【００３１】
（２）ＩＣチップ検出情報５２が「非検出」である欄に対応する磁気情報５３の種類が多い場合、何枚もの異なるＩＣカードに対して、ＩＣチップが認識されなかったことが示されている。この場合、ＩＣカードリーダ２に不具合がある可能性が高いと判断できる。
【００３２】
以上の原理に基づいて、ＩＣカードリーダ２の不具合が例えば次のように判定される。過去の所定の期間内（当日の朝の業務開始時から現在まで、または過去１ヶ月以内など過去の所定の時間以内）における履歴リスト５０が調査の対象とされる。予報部３２は、その所定の期間内において、ＩＣチップ検出情報５２が「非検出」である欄に対応する磁気情報５３が何種類あるかをカウントする（ステップＳ１４‐１）。カウントされた種類が第１の予め設定された数よりも小さいと、予報部３２はＩＣカードに不具合があったと推定し、そのことを示す情報を表示装置３４に表示する（ステップＳ１４‐２）。カウントされた種類が第２の予め設定された数（第１の予め設定された数と同じかより大きい）よりも大きいと、予報部３２は表示装置３４にＩＣカードリーダ２が不具合であることを示す情報、または検査を促す情報を表示する（ステップＳ１４‐３）。
【００３３】
または予報部３２は、その所定の期間内におけるすべての磁気情報５３が何種類あるかをカウントする（ステップＳ１４‐４）。図２の例では「ａａａａ」「ａｂａｂ」「ｂｂｂｂ」「ａａｂｂ」「ｂｂａａ」の５種類である。予報部３２は更に、その所定の期間内においてＩＣチップ検出情報５２が「非検出」である欄に対応する磁気情報５３の種類の数をカウントする。図２の例では「ｂｂｂｂ」「ａａｂｂ」「ａｂａｂ」「ｂｂａａ」の４種類である。予報部３２は、所定の期間内において使用されたすべてのＩＣカードのうち何種類のＩＣカードに対して非検出であったのかの割合を計算する（ステップＳ１４‐５）。図２の例では５種類のうちの４種類に対してＩＣチップが検出されなかったことがあり、したがって非検出の種類の割合は８０パーセントである。この割合が予め設定された値以上であると、予報部３２は表示装置３４にＩＣカードリーダ２が不具合であることを示す情報、または検査を促す情報を表示する（ステップＳ１４‐６）。
【００３４】
ＩＣカードリーダ２が不具合であることを示す情報が表示されることによって、ＩＣカードリーダ２を点検すべきであることが収受員に示され、点検が適切に行われる。その結果、不具合なＩＣカードリーダ２を使いつづけることが防止される。
【００３５】
ステップＳ１８：入力装置３６から履歴リスト５０を出力することを指示する入力がなされたかどうかが判定される。なかった場合、処理はステップＳ２に戻って続行される。
【００３６】
ステップＳ２０：入力装置３６から履歴リスト５０を出力することを指示する入力がなされると、作成部３０は履歴リスト５０を表示装置３４に表示し、あるいは図示しないプリンタから出力する。人が履歴リスト５０を見ることにより、ＩＣカードリーダの状況が予報部３２によるのとは違った角度から判断される。その後、処理はステップＳ２に戻って続行される。
【図面の簡単な説明】
【００３７】
【図１】図１は、ＩＣカードリーダの構成を示す。
【図２】図２は、履歴リストの構成を示す。
【図３】図３は、ＩＣカードリーダの動作を示すフローチャートである。
【図４】図４は、料金収受所の構成を示す。
【符号の説明】
【００３８】
２…ＩＣカードリーダ
４…カード挿入口
１４…ＩＣコンタクト
２０…スロット
２２…搬送装置
２３…検出装置
２４…磁気カード読取装置
２６…検出部
３０…作成部
３２…予報部
３４…表示装置
３６…入力装置
５０…履歴テーブル
５１…日時
５２…ＩＣチップ検出情報
５３…磁気情報
１００…料金収受システム
１１０…料金所
１１１…料金収受装置
１１２…領収書発行機
１１３…前払いカード処理機
１２０…料金事務所
１２１…データ入力装置
１２２…料金所集計処理装置
１２３…無停電電源装置
１２４…前払いカード再発行機
１３０…信号灯
１４０…車両台数計測機
１５０…踏板
【図１】
2006228050.tif 000003
【図２】
2006228050.tif 000004
【図３】
2006228050.tif 000005
【図４】
2006228050.tif 000006